(57)【要約】【課題】電柱に架設された一束化ハンガーの中に新たなケーブルを増設する通線工具および通線方法を提供する。【解決手段】通線工具が、作業者が持って操作する伸縮自在の操作棒と、操作棒の先端に取り付けられる保持部と、保持部に回転自在に保持されると共に、その回転軸から外側に伸る複数の柱状部材を有する輪転部と、輪転部の各柱状部材の先端部と揺動自在に係合する牽引部と、を有し、作業者が、一束化ハンガー内に新たなケーブルを通す通線動作を行うために、操作棒を操作して通線工具を持ち上げる際、先方ガイド部材の動作を安定させる安定機構を有する。【選択図】 図２
2020043691.tif 000002
【特許請求の範囲】
【請求項１】
ケーブルを一束化するため支持線にスパイラル状などに巻かれた一束化ハンガー内に新たなケーブルを通すための通線工具であって、
作業者が持って操作する伸縮自在の操作棒と、
前記操作棒の先端に取り付けられる保持部と、
前記保持部に回転自在に保持されると共に、その回転軸から外側に伸る複数の柱状部材を有する輪転部と、
前記輪転部の各柱状部材の先端部と揺動自在に係合する牽引部と、
前記新たなケーブルを案内するために前記牽引部の前端に取り付けられた先方ガイド部材と、
前記作業者が、前記一束化ハンガー内に前記新たなケーブルを通す通線動作を行うために、前記操作棒を操作して前記通線工具を持ち上げる際、前記先方ガイド部材の動作を安定させる安定手段と、を有することを特徴とする通線工具。
【請求項２】
前記安定手段が、前記保持部の上部に設けられた磁石と、前記磁石と接触するように前記磁石と対応する位置の前記先方ガイド部材に設けられた金属部とからなり、前記通線工具を持ち上げる際、前記磁石と前記金属部とを吸着させて前記先方ガイド部材の動作を安定させることを特徴とする請求項１に記載の通線工具。
【請求項３】
前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することを特徴とする請求項１、２のいずれかに記載の通線工具。
【請求項４】
前記一束化ハンガー内における前記所定方向へ前記牽引部が移動することにより、前記牽引部に取り付けられた前記新たなケーブルまたはひもが、前記一束化ハンガー内を通る通線動作が行われることを特徴とする請求項３に記載の通線工具。
【請求項５】
前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることを特徴とする請求項３、４のいずれかに記載の通線工具。
【請求項６】
ケーブルを一束化するため支持線にスパイラル状などに巻かれた一束化ハンガー内に新たなケーブルを通すための通線工具であって、
作業者が持って操作する伸縮自在の操作棒と、
前記操作棒の先端に取り付けられる保持部と、
前記保持部に回転自在に保持されると共に、その回転軸から外側に伸る複数の柱状部材を有する輪転部と、
前記輪転部の各柱状部材の先端部と揺動自在に係合する牽引部と、
前記輪転部の柱状部材を所定位置に一時的に係留する係留手段と、を有し、
前記輪転部の柱状部材の所定位置が、前記保持部と前記牽引部との間の入り口が大きく開くように前記柱状部材が停止する位置であることを特徴とする通線工具。
【請求項７】
前記係留手段が、前記牽引部の所定位置に設けられた第１の磁石部材および第２の磁石部材と、前記輪転部の各柱状部材の先端部とからなり、前記各柱状部材の先端部が、前記第１の磁石部材および第２の磁石部材に反応する金属または磁石のいずれかからできていることを特徴とする請求項６に記載の通線工具。
【請求項８】
前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することを特徴とする請求項６、７のいずれかに記載の通線工具。
【請求項９】
前記一束化ハンガー内における前記所定方向へ前記牽引部が移動することにより、前記牽引部に取り付けられた前記新たなケーブルまたはひもが、前記一束化ハンガー内を通る通線動作が行われることを特徴とする請求項８に記載の通線工具。
【請求項１０】
前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることを特徴とする請求項８、９のいずれかに記載の通線工具。
【請求項１１】
ケーブルを一束化するため支持線にスパイラル状などに巻かれた一束化ハンガー内に新たなケーブルを通すための通線工具であって、
作業者が持って操作する伸縮自在の操作棒と、
前記操作棒の先端に取り付けられる保持部と、
前記保持部に回転自在に保持されると共に、その回転軸から外側に伸る複数の柱状部材を有する輪転部と、
前記輪転部の各柱状部材の先端部と揺動自在に係合する牽引部と、を有し、
前記牽引部の底面が、平面状になっており、前記保持部および前記牽引部の幅が、所定値内となるように設定されることを特徴とする通線工具。
【請求項１２】
前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することを特徴とする請求項１１に記載の通線工具。
【請求項１３】
前記一束化ハンガー内における前記所定方向へ前記牽引部が移動することにより、前記牽引部に取り付けられた前記新たなケーブルまたはひもが、前記一束化ハンガー内を通る通線動作が行われることを特徴とする請求項１２に記載の通線工具。
【請求項１４】
前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることを特徴とする請求項１２、１３のいずれかに記載の通線工具。
【請求項１５】
ケーブルを一束化するため支持線にスパイラル状などに巻かれた一束化ハンガー内に新たなケーブルを通すための通線工具であって、
作業者が持って操作する伸縮自在の操作棒と、
前記操作棒の先端に取り付けられる保持部と、
前記保持部に回転自在に保持されると共に、その回転軸から外側に伸る複数の柱状部材を有する輪転部と、
前記輪転部の各柱状部材の先端部と揺動自在に係合する牽引部と、を有し、
前記輪転部は、前記回転軸に設けられた軌道輪からなる円筒部材を有し、前記円筒部材の外周部の角部が、丸く成形されて断面Ｕ字形状となり、前記保持部の先端部分が丸く成形されていることを特徴とする通線工具。
【請求項１６】
前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することを特徴とする請求項１５に記載の通線工具。
【請求項１７】
前記一束化ハンガー内における前記所定方向へ前記牽引部が移動することにより、前記牽引部に取り付けられた前記新たなケーブルまたはひもが、前記一束化ハンガー内を通る通線動作が行われることを特徴とする請求項１６に記載の通線工具。
【請求項１８】
前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることを特徴とする請求項１６、１７のいずれかに記載の通線工具。
【請求項１９】
ケーブルを一束化するため支持線にスパイラル状などに巻かれた一束化ハンガー内に新たなケーブルを通すための通線工具であって、
作業者が持って操作する伸縮自在の操作棒と、
前記操作棒の先端に取り付けられる保持部と、
前記保持部に回転自在に保持されると共に、その回転軸から外側に伸る複数の柱状部材を有する輪転部と、
前記輪転部の各柱状部材の先端部と揺動自在に係合する牽引部と、を有し、
前記輪転部は、前記回転軸に設けられた軌道輪からなる円筒部材を有し、前記輪転部の軌道輪からなる円筒部材には、前記回転軸から外側に伸びる７つの柱状部材が設けられており、前記各柱状部材の先端部が、車輪を挟んだ両側に盛り上がった羽足誘い部を有する形状となり、各羽足誘い部は、その角部が、丸く成形されていることを特徴とする通線工具。
【請求項２０】
前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することを特徴とする請求項１９に記載の通線工具。
【請求項２１】
前記一束化ハンガー内における前記所定方向へ前記牽引部が移動することにより、前記牽引部に取り付けられた前記新たなケーブルまたはひもが、前記一束化ハンガー内を通る通線動作が行われることを特徴とする請求項２０に記載の通線工具。
【請求項２２】
前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることを特徴とする請求項２０、２１のいずれかに記載の通線工具。
【請求項２３】
前記牽引部の前端に、前記新たなケーブルを案内するための先方ガイド部材が取り付けられることを特徴とする請求項６、１１、１５、１９のいずれかに記載の通線工具。
【請求項２４】
前記通線工具が、さらに、前記先方ガイド部材の外周を覆うカバーを有することを特徴とする請求項１、２３のいずれかに記載の通線工具。
【請求項２５】
前記牽引部の後端に、前記新たなケーブルの通線動作時に、前記先方ガイド部材の直進性を向上させるための安定棒が取り付けられることを特徴とする請求項１、２３のいずれかに記載の通線工具。
【請求項２６】
前記牽引部の前方の下部には、前記牽引部の所定方向への移動において、前記一束化ハンガー内にすでに敷設されたケーブルが前記保持部と前記牽引部との間に巻き込まれないように、前記敷設されたケーブルを掻き分ける掻き分けフィンが設けられていることを特徴とする請求項１、６、１１、１５、１９のいずれかに記載の通線工具。
【発明の詳細な説明】
【技術分野】
【０００１】
本発明は、電柱に架設された通信線等を一束化するための一束化ハンガーの中に、新たな通信線を通すための通線工具および通線方法に関するものである。
【背景技術】
【０００２】
近年、通信技術の進歩に伴い、電柱に架設された電線本線となる通信線に沿って光ケーブル等の新たなケーブルを設置することが多くなって来ており、これらのケーブルは、電柱間に張った支持線により保持される。
【０００３】
そして、図９に示すように、これらのケーブル１０１は、美観等の観点から、支持線１０３にスパイラル状等に巻かれた一束化ハンガー１０５等の道具により、一束化されて支持線１０３に支持されるようになっている。
【０００４】
図９は、支持線１０３にスパイラル状などに巻かれた一束化ハンガー１０５により一束化されて支持線１０３に支持されたケーブル１０１を示す概略説明図である。
【先行技術文献】
【特許文献】
【０００５】
【特許文献１】特開２０００−１３４７３８号公報
【発明の概要】
【発明が解決しようとする課題】
【０００６】
しかしながら、上述した一束化ハンガー１０５を用いた一束化工法では、新たなケーブルを追加しようとした場合、一束化ハンガー１０５内にその新たなケーブルを通さなければならず、やっかいな手作業が強いられるものであった。
【０００７】
すなわち、従来では、図１０に示すような先方ガイド部材１０７を用いて、その先方ガイド部材１０７の後端に直進性の有る長いロッド１０９を取り付け、先方ガイド部材１０７を使って一束化ハンガー１０５内を通した後、ロッド１０９の後端に新たなケーブルを取り付け牽引して一束化ハンガー１０５内に追加していた。
【０００８】
なお、先方ガイド部材１０７は、一束化ハンガー１０５内に直進性の有る長いロッド１０９を案内する機能を有する。
【０００９】
図１０は、従来技術により、一束化ハンガー１０５内に直進性の有る長いロッド１０９を通す動作を示す概略説明図である。
【００１０】
なお、図１０では、わかり易くするため、図９に記載したケーブル１０１および支持線１０３は省略して表示した。
【００１１】
当然、上記手作業は、高所作業車等を使っての高所作業となり、危険を伴うばかりでなく、作業場所が制限される、コストや時間がかかる等の問題点があった。
【００１２】
また、先方ガイド部材１０７を一束化ハンガー１０５内に押しこんで行くためには、上述した直進性の有る長いロッド１０９を用いなければならず、先方ガイド部材１０７に直接に新たなケーブルを繋ぐことはできず、手間のかかるものであった。
【００１３】
また、上記先行技術文献のような通線工具も提案されているが、スムーズに一束化ハンガー内に新たな通信線を通すことのできるものではなかった。
【００１４】
本発明は、上述の問題を解決するためのものであり、その目的は、安全かつスムーズに一束化ハンガーの中に、新たな通信線を通すことのできる通線工具および通線方法を提供することである。
【課題を解決するための手段】
【００１５】
本発明の特徴は、ケーブルを一束化するため支持線にスパイラル状などに巻かれた一束化ハンガー内に新たなケーブルを通すための通線工具であって、作業者が持って操作する伸縮自在の操作棒と、前記操作棒の先端に取り付けられる保持部と、前記保持部に回転自在に保持されると共に、その回転軸から外側に伸る複数の柱状部材を有する輪転部と、前記輪転部の各柱状部材の先端部と揺動自在に係合する牽引部と、前記新たなケーブルを案内するために前記牽引部の前端に取り付けられた先方ガイド部材と、前記作業者が、前記一束化ハンガー内に前記新たなケーブルを通す通線動作を行うために、前記操作棒を操作して前記通線工具を持ち上げる際、前記先方ガイド部材の動作を安定させる安定手段と、を有することである。
【００１６】
本発明の他の特徴は、前記安定手段が、前記保持部の上部に設けられた磁石と、前記磁石と接触するように前記磁石と対応する位置の前記先方ガイド部材に設けられた金属部とからなり、前記通線工具を持ち上げる際、前記磁石と前記金属部とを吸着させて前記先方ガイド部材の動作を安定させることである。
【００１７】
本発明の他の特徴は、前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することである。
【００１８】
本発明の他の特徴は、前記一束化ハンガー内における前記所定方向へ前記牽引部が移動することにより、前記牽引部に取り付けられた前記新たなケーブルまたはひもが、前記一束化ハンガー内を通る通線動作が行われることである。
【００１９】
本発明の他の特徴は、前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることである。
【００２０】
本発明の他の特徴は、ケーブルを一束化するため支持線にスパイラル状などに巻かれた一束化ハンガー内に新たなケーブルを通すための通線工具であって、作業者が持って操作する伸縮自在の操作棒と、前記操作棒の先端に取り付けられる保持部と、前記保持部に回転自在に保持されると共に、その回転軸から外側に伸る複数の柱状部材を有する輪転部と、前記輪転部の各柱状部材の先端部と揺動自在に係合する牽引部と、前記輪転部の柱状部材を所定位置に一時的に係留する係留手段と、を有し、前記輪転部の柱状部材の所定位置が、前記保持部と前記牽引部との間の入り口が大きく開くように前記柱状部材が停止する位置である。
【００２１】
本発明の他の特徴は、前記係留手段が、前記牽引部の所定位置に設けられた第１の磁石部材および第２の磁石部材と、前記輪転部の各柱状部材の先端部とからなり、前記各柱状部材の先端部が、前記第１の磁石部材および第２の磁石部材に反応する金属または磁石のいずれかからできていることである。
【００２２】
本発明の他の特徴は、前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することである。
【００２３】
本発明の他の特徴は、前記一束化ハンガー内における前記所定方向へ前記牽引部が移動することにより、前記牽引部に取り付けられた前記新たなケーブルまたはひもが、前記一束化ハンガー内を通る通線動作が行われることである。
【００２４】
本発明の他の特徴は、前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることである。
【００２５】
本発明の他の特徴は、ケーブルを一束化するため支持線にスパイラル状などに巻かれた一束化ハンガー内に新たなケーブルを通すための通線工具であって、作業者が持って操作する伸縮自在の操作棒と、前記操作棒の先端に取り付けられる保持部と、前記保持部に回転自在に保持されると共に、その回転軸から外側に伸る複数の柱状部材を有する輪転部と、前記輪転部の各柱状部材の先端部と揺動自在に係合する牽引部と、を有し、前記牽引部の底面が、平面状になっており、前記保持部および前記牽引部の幅が、所定値内となるように設定されることである。
【００２６】
本発明の他の特徴は、前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することである。
【００２７】
本発明の他の特徴は、前記一束化ハンガー内における前記所定方向へ前記牽引部が移動することにより、前記牽引部に取り付けられた前記新たなケーブルまたはひもが、前記一束化ハンガー内を通る通線動作が行われることである。
【００２８】
本発明の他の特徴は、前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることである。
【００２９】
本発明の他の特徴は、ケーブルを一束化するため支持線にスパイラル状などに巻かれた一束化ハンガー内に新たなケーブルを通すための通線工具であって、作業者が持って操作する伸縮自在の操作棒と、前記操作棒の先端に取り付けられる保持部と、前記保持部に回転自在に保持されると共に、その回転軸から外側に伸る複数の柱状部材を有する輪転部と、前記輪転部の各柱状部材の先端部と揺動自在に係合する牽引部と、を有し、前記輪転部は、前記回転軸に設けられた軌道輪からなる円筒部材を有し、前記円筒部材の外周部の角部が、丸く成形されて断面Ｕ字形状となり、前記保持部の先端部分が丸く成形されていることである。
【００３０】
本発明の他の特徴は、前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することである。
【００３１】
本発明の他の特徴は、前記一束化ハンガー内における前記所定方向へ前記牽引部が移動することにより、前記牽引部に取り付けられた前記新たなケーブルまたはひもが、前記一束化ハンガー内を通る通線動作が行われることである。
【００３２】
本発明の他の特徴は、前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることである。
【００３３】
本発明の他の特徴は、ケーブルを一束化するため支持線にスパイラル状などに巻かれた一束化ハンガー内に新たなケーブルを通すための通線工具であって、作業者が持って操作する伸縮自在の操作棒と、前記操作棒の先端に取り付けられる保持部と、前記保持部に回転自在に保持されると共に、その回転軸から外側に伸る複数の柱状部材を有する輪転部と、前記輪転部の各柱状部材の先端部と揺動自在に係合する牽引部と、を有し、前記輪転部は、前記回転軸に設けられた軌道輪からなる円筒部材を有し、前記輪転部の軌道輪からなる円筒部材には、前記回転軸から外側に伸びる７つの柱状部材が設けられており、前記各柱状部材の先端部が、車輪を挟んだ両側に盛り上がった羽足誘い部を有する形状となり、各羽足誘い部は、その角部が、丸く成形されていることである。
【００３４】
本発明の他の特徴は、前記作業者が、前記牽引部の後端に新たなケーブルまたはひもを取り付け、前記操作棒を操作して前記牽引部を前記一束化ハンガー内に挿入し、所定方向に前記通線工具が向かうように前記操作棒を操作することにより、前記一束化ハンガーが、前記輪転部の回転に伴って、前記保持部と前記牽引部との間の入り口から入り、前記保持部と前記牽引部との間の出口から出て、前記一束化ハンガー内における前記所定方向へ前記牽引部が移動することである。
【００３５】
本発明の他の特徴は、前記一束化ハンガー内における前記所定方向へ前記牽引部が移動することにより、前記牽引部に取り付けられた前記新たなケーブルまたはひもが、前記一束化ハンガー内を通る通線動作が行われることである。
【００３６】
本発明の他の特徴は、前記一束化ハンガーが、前記輪転部の回転に伴って、前記輪転部の柱状部材の間に挟まれた状態で、前記保持部と前記牽引部との間の入り口から入り、前記保持部と前記牽引部との間の出口から出ることである。
【００３７】
本発明の他の特徴は、前記牽引部の前端に、前記新たなケーブルを案内するための先方ガイド部材が取り付けられることである。
【００３８】
本発明の他の特徴は、前記通線工具が、さらに、前記先方ガイド部材の外周を覆うカバーを有することである。
【００３９】
本発明の他の特徴は、前記牽引部の後端に、前記新たなケーブルの通線動作時に、前記先方ガイド部材の直進性を向上させるための安定棒が取り付けられることである。
【００４０】
本発明の他の特徴は、前記牽引部の前方の下部には、前記牽引部の前記所定方向への移動において、前記一束化ハンガー内にすでに敷設されたケーブルが前記保持部と前記牽引部との間に巻き込まれないように、前記敷設されたケーブルを掻き分ける掻き分けフィンが設けられていることである。
【発明の効果】
【００４１】
安全かつスムーズに一束化ハンガーの中に、新たな通信線または通信線牽引用のひもなどを通すことができる。
【図面の簡単な説明】
【００４２】
【図１】本発明を実施した通線工具１を示す図であり、（ａ）は、平面図であり、（ｂ）は、側面図である。
【図２】図１に示した通線工具１の本体部を示す側面図である。
【図３】図１に示した通線工具１の本体部の使用されている状態での側面図である。
【図４】図１に示した通線工具１の本体部の背面図である。
【図５】図２に示した牽引部７の展開図である。
【図６】図１に示した通線工具１を前方からみた状態での本体部の斜視図である。
【図７】支持線１０３にスパイラル状などに巻かれた一束化ハンガー１０５内に、図１に示した通線工具１を使ってケーブルを通す方法の概略説明図である。
【図８】支持線１０３にスパイラル状などに巻かれた一束化ハンガー１０５内に、図１に示した通線工具１を使ってケーブルを通す方法の概略説明図である。
【図９】支持線１０３にスパイラル状などに巻かれた一束化ハンガー１０５により一束化されて支持線１０３に支持されたケーブル１０１を示す概略説明図である。
【図１０】従来技術により、一束化ハンガー１０５内に直進性の有る長いロッド１０９を通す動作を示す概略説明図である。
【図１１】本発明に係わる通線工具１の第２の実施形態の側面図である。
【図１２】本発明に係わる通線工具１の第２の実施形態の側面図である。
【発明を実施するための形態】
【００４３】
本発明は、図９および図１０に示すように、電柱に架設された電線本線となる通信線に沿って設置されたケーブル１０１が、支持線１０３にスパイラル状などに巻かれた一束化ハンガー１０５により一束化されて支持線１０３に支持されている状態で、新たなケーブルを一束化ハンガー１０５内に通すための通線工具に関するものである。
【００４４】
図１は、本発明を実施した通線工具１を示す図であり、（ａ）は、平面図であり、（ｂ）は、側面図である。
【００４５】
図２は、図１に示した通線工具１の主要部を示す側面図であり、図３は、図１に示した通線工具１の主要部の使用されている状態での側面図である。
【００４６】
図４は、図１に示した通線工具１の本体部の背面図である。
【００４７】
図１〜図３に示すように、通線工具１は、作業者が持って使用する伸縮自在の操作棒３と、操作棒３の先端３ａに取り付けられる本体部からなり、その本体部は、輪転部材９を回転自在に保持する保持部５と、輪転部材９の先端部と揺動自在に係合する牽引部７とからなっている。
【００４８】
なお、保持部５の下端に、操作棒３の先端３ａが取り付けられており、牽引部７の一端７ｄには、図１０に示すような先方ガイド部材１０７が取り付けられ、牽引部７の他端７ｅには、安定棒７ｇを介して、新たなケーブル１０（あるいは新たなケーブル１０の接続された紐）を取付けるための係止部材７ｆが設けられている。
【００４９】
図２および図４に示すように、輪転部材９は、保持部５をなす２つの保持部材５ａ、５ｂに挟まれるようになっており、保持部材５ａ、５ｂの間に架け渡された軸部９ａを矢印Ｂ方向に回転する。輪転部材９は、矢印Ｂ方向に回転するだけでは無く、矢印Ｂ方向と反対の矢印Ｃ方向に回転させることもできる。
【００５０】
輪転部材９の軸部９ａには、軌道輪からなる円筒部材９ｂが設けられ、この円筒部材９ｂには、軸部９ａを中心にして、扇状に外側に伸る複数（この実施形態例の場合は７つ）の柱状部材９ｃが設けられており、各柱状部材９ｃの先端部９ｇには、後述する牽引部７の溝７ｃと係合する車輪９ｆが回転自在に設けられている。そして、柱状部材９ｃは、通線動作における輪転部材９の回転時に、図２の矢印Ｂ方向に回転するようになっている。
【００５１】
また、図４に示すように、円筒部材９ｂの外周部９ｂ１は、その角部が、丸く成形されて断面Ｕ字形状となっている。これにより、通線動作時における一束化ハンガー１０５の詰まりによるロックが防止される。
【００５２】
牽引部７の前後２箇所の所定位置には、それぞれ第１の磁石部材１１ａおよび第２の磁石部材１１ｂが設けられており、各柱状部材９ｃの車輪９ｆを引き付けて、後述する所定位置に一時的に係留する係留手段として機能する。このため、各柱状部材９ｃの車輪９ｆを含む先端部９ｇは、第１の磁石部材１１ａおよび第２の磁石部材１１ｂに反応する金属からできている。
【００５３】
各柱状部材９ｃの先端部９ｇは、車輪９ｆを挟んだ両側に盛り上がった羽足誘い部９ｈを有する形状となり、各羽足誘い部９ｈは、その角部が、丸く成形されているので、この羽足誘い部９ｈにより、通線動作時において、通線工具１における一束化ハンガー１０５の通過性能が向上する。
【００５４】
図５は、図２に示した牽引部７の展開図であり、図６は、図１に示した通線工具１を前方からみた状態での本体部の斜視図である。
【００５５】
図４および図５に示すように、牽引部７は、２つの牽引部材７ａ、７ｂとが合わさるようになっており、２つの牽引部材７ａ、７ｂとが合わされた状態で、円弧状の溝７ｃを形成し、その円弧状の溝７ｃに、輪転部材９の各柱状部材９ｃの車輪９ｆが係合して相互に移動自在となる。
【００５６】
また、２つの牽引部材７ａ、７ｂとが合わされた状態で、牽引部７の溝７ｃの底面７ｉは、平面状になっている（図２および図５参照）。これにより、一束化ハンガー１０５内に設置された他のケーブルの巻き込みが防止される。
【００５７】
従って、牽引部７と保持部５とが一定の距離を保った状態で、輪転部材９が回転できるようになっている。
【００５８】
なお、図４に示すように、保持部５の幅Ｌは、所定値内となるように設定され、同様に牽引部７の幅も所定値内となるように設定されている。保持部５の幅Ｌを所定値内とすることにより、通線工具１の一束化ハンガー１０５内での進行がスムーズとなる。
【００５９】
図６に示すように、保持部５の先端の上部には、突出部５ｃが設けられ、その突出部５ｃの上面には、磁石５ｄが設けられている。そして、その磁石５ｄと対応する位置の先方ガイド部材１０７の基端部１０７ｂに、磁石５ｄと接触する金属部１０７ｆが設けられている。
【００６０】
このような構成とすることにより、作業者が、一束化ハンガー１０５の一端から先方ガイド部材１０７を一束化ハンガー１０５内に挿入するために、この通線工具１を持ち上げる際、磁石５ｄと金属部１０７ｆとが吸着するので、先方ガイド部材１０７の動作が安定する。
【００６１】
保持部５の突出部５ｃの上面に設けられた磁石５ｄおよび先方ガイド部材１０７の基端部１０７ｂに設けられた金属部１０７ｆにより安定手段が構成される。
【００６２】
さらに、図６に示すように、突出部５ｃの先端部分５ｅは、丸く成形されている。これにより、通線動作時に、突出部５ｃの先端部分が一束化ハンガー１０５と接触した際に、一束化ハンガー１０５を後ろに逃して、通線工具１の推進抵抗が少なくなる。
【００６３】
さらに、牽引部７の前方の下部には、掻き分けフィン７ｈが設けられている。
【００６４】
図８に示すように、通常、一束化ハンガー１０５内に複数本敷設されたドロップケーブル１０１が、複数本敷設されており、この掻き分けフィン７ｈは、後述するように、実際に通線工具１を使ってケーブルまたは牽引用のひもを一束化ハンガー１０５内に通す場合に、そのドロップケーブル１０１を掻き分けて、そのドロップケーブル１０１が、通線工具１の牽引部７の溝７ｃに巻き込まれることを防止する役割をはたす。
【００６５】
次に、上述した構成の通線工具１の使用方法について説明する。
【００６６】
図７および図８は、支持線１０３にスパイラル状などに巻かれた一束化ハンガー１０５内に、図１に示した通線工具１を使ってケーブルまたは牽引用のひもを通す方法の概略説明図である。
【００６７】
図８に示すように、まず、作業者１３は、牽引部７の一端７ｄに、先方ガイド部材１０７を取り付けると共に、牽引部７の他端７ｅの係止部材７ｆに、新たなケーブル１０（あるいは新たなケーブル１０を接続した紐）を取付ける。そして、図７に示すように、伸縮自在の操作棒３を伸ばして、通線工具１の本体部を一束化ハンガー１０５に近づけ、一束化ハンガー１０５の一端から、牽引部７の一端７ｄに取り付けられた先方ガイド部材１０７を一束化ハンガー１０５内に挿入する。
【００６８】
この際、作業者が、操作棒３を操作して通線工具１を持ち上げると、安定棒７ｇの係止部材７ｆに取り付けられた新たなケーブル１０も持ち上げられるが、その新たなケーブル１０の重さに引っ張られて、牽引部７が、輪転部材９の軸部９ａを中心に矢印Ｂ方向に回動し、それに伴い、牽引部７に取り付けられた先方ガイド部材１０７の先端が上に持ち上げられ、上下に揺れて不安定となり、先方ガイド部材１０７を一束化ハンガー１０５へ挿入することを難しくしていた。
【００６９】
そこで、前述したように、保持部５の磁石５ｄと先方ガイド部材１０７の金属部１０７ｆとを吸着させれば、作業者が、操作棒３を操作して通線工具１を持ち上げる際に、先方ガイド部材１０７の動作が安定するので、先方ガイド部材１０７を一束化ハンガー１０５へ簡単に挿入することができるようになる。
【００７０】
また、先方ガイド部材１０７を一束化ハンガー１０５へ挿入した後は、操作棒３を後方へ操作することにより、保持部５の磁石５ｄと先方ガイド部材１０７の金属部１０７ｆとを簡単に離脱させることができるので、先方ガイド部材１０７と牽引部７とを、一束化ハンガー１０５内へ矢印Ａの方向へ進すませることができる。
【００７１】
また、先方ガイド部材１０７を一束化ハンガー１０５へ挿入する際には、操作棒３が先方ガイド部材１０７の長手方向に対しておおよそ垂直の状態となるが、保持部５に設けられた突出部５ｃにより、先方ガイド部材１０７の基端部が保持部材５ａ、５ｂの間に挟まることを防止する。
【００７２】
先方ガイド部材１０７が一束化ハンガー１０５内に挿入されたら、作業者１３は、図８に示すＡ方向に通線工具１が向かうように、操作棒３を操作する。
【００７３】
この時に、図８に示すように、操作棒３が、先方ガイド部材１０７の長手方向に対して約４５°後方に傾く状態で、先方ガイド部材１０７および通線工具１がＡ方向に移動するように操作棒３が操作される。
【００７４】
それにより、図８に示すように、一束化ハンガー１０５の下部１０５ａが、通線工具１の保持部５と牽引部７との間の入り口１５に入って行く。
【００７５】
ここで、輪転部材９の各柱状部材９ｃは、第１の磁石部材１１ａおよび第２の磁石部材１１ｂにより所定位置に一時的に係留されている。すなわち、ここで、輪転部材９の所定位置とは、保持部５と牽引部７との間の入り口１５が大きく開くように、柱状部材９ｃが停止する位置となっている。
【００７６】
これにより、一束化ハンガー１０５の下部１０５ａが、スムーズに入り口１５に入って行くことができる。
【００７７】
なお、このような輪転部材９の各柱状部材９ｃを一時的に係留する機能が無いと、各柱状部材９ｃが入り口１５に留まって、一束化ハンガー１０５の下部１０５ａが、スムーズに入り口１５に入って行くことができない可能性がある。
【００７８】
次に、矢印Ａ方向に通線工具１が移動するように操作すると、一束化ハンガー１０５の下部１０５ａが、入り口１５近くの柱状部材９ｃ１に当り、その柱状部材９ｃ１を、矢印Ｂ方向に付勢し、磁石部材１１により引き付けられていた柱状部材９ｃ３を、磁石部材１１の引っ張り力から引き離し、輪転部材９を矢印Ｂ方向に回転させ、次の柱状部材９ｃ１が磁石部材１１により引き付けられる。
【００７９】
なお、輪転部材９が矢印Ｂ方向に回転すると同時に、牽引部７の円弧状の溝７ｃ内を、各柱状部材９ｃの車輪９ｆが移動して行く。
【００８０】
このように、輪転部材９の柱状部材９ｃが、常に、保持部５と牽引部７との間の入り口１５が大きく開くような停止位置（所定位置）となるので、一束化ハンガー１０５の下部１０５ａが、スムーズに入り口１５に入って行き、輪転部材９の矢印Ｂ方向への回転に伴って、輪転部材９の各柱状部材９ｃの間に挟まれた状態で、保持部５と牽引部７との間の出口１７から出て行くことができる。
【００８１】
これにより、先方ガイド部材１０７と牽引部７とが、一束化ハンガー１０５内を矢印Ａの方向へ進んで行くこととなり、牽引部７に取り付けられた所定の長さの安定棒７ｇの係止部材７ｆに取り付けられた新たなケーブルまたは牽引用のひも１０などが、一束化ハンガー１０５内に通される。
【００８２】
先方ガイド部材１０７と牽引部７とが、一束化ハンガー１０５内を矢印Ａの方向へ進んで行く際には、突出部５ｃの先端部分が丸く成形されているので、突出部５ｃの先端部分が一束化ハンガー１０５と接触した際に、一束化ハンガー１０５を後ろに逃して、通線工具１の推進抵抗が少なくなる。
【００８３】
また、先方ガイド部材１０７と牽引部７とが、一束化ハンガー１０５内を矢印Ａの方向へ進んで行く際には、２つの牽引部材７ａ、７ｂとが合わされた状態で、牽引部７の溝７ｃの底面７ｉは、平面状になっているので、一束化ハンガー１０５内に設置された他のケーブルの巻き込みが防止される。
【００８４】
また、先方ガイド部材１０７と牽引部７とが、一束化ハンガー１０５内を矢印Ａの方向へ進んで行く際には、各柱状部材９ｃの先端部９ｇは、車輪９ｆを挟んだ両側に盛り上がった羽足誘い部９ｈを有する形状となり、各羽足誘い部９ｈは、その角部が、丸く成形されてＵ字形状となっているので、この羽足誘い部９ｈにより、通線動作時において、通線工具１における一束化ハンガー１０５の通過性能が向上する。
【００８５】
また、先方ガイド部材１０７と牽引部７とが、一束化ハンガー１０５内を矢印Ａの方向へ進んで行く際には、円筒部材９ｂの外周部９ｂ１は、その角部が、丸く成形されて断面Ｕ字形状となっているので、通線動作時における一束化ハンガー１０５の詰まりによるロックが防止されると共に、保持部材５ａ、５ｂの間の間隔が、所定値内となるように設定されているので、通線工具１の一束化ハンガー１０５内での進行がスムーズとなる。
【００８６】
ここで、牽引部７には、所定の長さの安定棒７ｇが取り付けられているが、この安定棒７ｇにより、先方ガイド部材１０７の直進性を向上させることができる。
【００８７】
すなわち、この安定棒７ｇが無い状態だと、矢印Ａ方向に通線工具１が移動するように操作して先方ガイド部材１０７を一束化ハンガー１０５内に押し込んで行くと、先方ガイド部材１０７の先端が上下に振られてしまうことがあり、そのまま前進すると、一束化ハンガー１０５から外れた方向に進んでしまう問題があった。
【００８８】
この安定棒７ｇを設けると、先方ガイド部材１０７の先端が上下に振られてしまうことが無く、一束化ハンガー１０５から外れた方向に進んでしまうことも無い。
【００８９】
なお、先方ガイド部材１０７と牽引部７とが一束化ハンガー１０５内を矢印Ａの方向へ進む際、掻き分けフィン７ｈは、図８に示すように、一束化ハンガー１０５内のドロップケーブル１０１を掻き分けて、そのドロップケーブル１０１が、通線工具１の牽引部７の溝７ｃに巻き込まれることを防止する。
【００９０】
そして、一束化ハンガー１０５の他端から、先方ガイド部材１０７および牽引部７を一束化ハンガー１０５の外に搬出することにより、一束化ハンガー１０５の一端から他端へと、新たなケーブル１０が通ることとなる。
【００９１】
また、上述のような新たなケーブル１０の通線動作において、一束化ハンガー１０５内に、すでにケーブルが配設されている場合にも、円筒部材９ｂの上方部が、保持部材５ａ、５ｂから外へ突出するようになっているので、その配設されているケーブルが、保持部材５ａ、５ｂとの各柱状部材９ｃの間に挟まれたりすることがない。
【００９２】
上述のように新たなケーブルまたは牽引用のひも１０などが一束化ハンガー１０５内に通されるので、図１０の従来例に示すような直進性の有るロッド１０９を用いる必要が無くなり、牽引部７の係止部材７ｆに、直接に新たなケーブルまたは牽引用のひも１０を取り付けることができ、作業者の手間を大幅に省くことができる。
【００９３】
また、輪転部材９は、矢印Ｂ方向に回転されるだけでは無く、矢印Ｂ方向と反対の矢印Ｃ方向に回転させることもできるようになっている。
【００９４】
従って、図８に示すＡ方向に新たなケーブル１０を（一束化ハンガー１０５内に）通しすぎた場合にも、通線工具１をＤ方向に戻すことができ、新たなケーブル１０を所望する位置まで戻って通すようにすることもできる。
【００９５】
また、この実施形態では、通線工具１に、図１０に示すような従来の先方ガイド部材１０７が取り付けられているが、これに限定されることは無く、棒のような他の構造の先方ガイド部材を取り付けても良いし、何も取り付け無くても良い。
【００９６】
上述のように、本発明を実施した通線工具１によれば、電柱に架設された電線本線となる通信線に沿って設置されたドロップケーブル１０１が支持線１０３にスパイラル状などに巻かれた一束化ハンガー１０５により一束化されて支持線１０３に支持されている状態で、簡単、安全かつスムーズに一束化ハンガー１０５の中に、新たなケーブル１０を通すことのできるという効果を奏する。
【００９７】
次に、図１１および図１２を参照して、について説明する。
【００９８】
この第２の実施形態の通線工具１は、先方ガイド部材１０７に、先方ガイド部材１０７の外周を覆う外周カバー１０７ｅを取り付けた構成となっている。
【００９９】
すなわち、図１１に示すように、先方ガイド部材１０７が、先端部１０７ａおよび基端部１０７ｂを有する中心棒１０７ｃと、先端部１０７ａの後部と基端部１０７ｂの前部との間に懸架された複数（この場合２本）の懸架棒１０７ｄとを有する構造となっており、懸架棒１０７ｄは、その中央部が中心棒１０７ｃの外周方向へ膨らむ形状となっている。
【０１００】
そして、外周カバー１０７ｅが、その先端と後端とに穴を有する構成となっている。そして、図１１図に示すように、外周カバー１０７ｅの後端の穴から、中心棒１０７ｃの先端部１０７ａを通して行き、図１２に示すように、懸架棒１０７ｄの外周をすっぽりと覆うように外周カバー１０７ｅを先方ガイド部材１０７に装着する。
【０１０１】
このように外周カバー１０７ｅを先方ガイド部材１０７に装着すると、先方ガイド部材１０７の内部に、例えば、一束化ハンガー１０５の終端部等の部品が入り込み、先方ガイド部材１０７の移動の妨げとなることが無い。
【０１０２】
この発明は前述の発明の実施の形態に限定されることなく、適宜な変更を行うことによ
り、その他の態様で実施し得るものである。
【符号の説明】
【０１０３】
１  通線工具
３  操作棒
５  保持部
５ｃ  突出部
５ｄ  磁石
７  牽引部
７ｃ  溝
７ｆ  係止部材
７ｈ  掻き分けフィン
７ｇ  安定棒
９  輪転部材
９ａ  軸部
９ｃ  柱状部材
１０  新たなケーブルまたは牽引用のひも
１１  磁石部材
１３  作業者
１０１  ドロップケーブル
１０３  支持線
１０５  一束化ハンガー
１０７  先方ガイド部材
１０７ｅ  外周カバー
１０９  直進性の有る長いロッド
【図１】
2020043691.tif 000003
【図２】
2020043691.tif 000004
【図３】
2020043691.tif 000005
【図４】
2020043691.tif 000006
【図５】
2020043691.tif 000007
【図６】
2020043691.tif 000008
【図７】
2020043691.tif 000009
【図８】
2020043691.tif 000010
【図９】
2020043691.tif 000011
【図１０】
2020043691.tif 000012
【図１１】
2020043691.tif 000013
【図１２】
2020043691.tif 000014